(57)【要約】【課題】ＳＰキャリアにより検出可能な範囲を超える妨害波（遅延波または先行波）を含む環境でも正しくＦＦＴ窓制御を行えるようにする技術を提供する。【解決手段】先行波制御部６１は、一定量以上の遅延量の妨害波が存在していない場合のＦＦＴ窓制御を行う。ピーク位置制御部６３は、遅延量が一定量以上の場合に、ピーク位置情報を参照して、妨害波が遅延波、先行波の何れであるか判定し、その判定結果を用いて、入力した遅延情報が適切なものか否か確認する。それにより、適切なものではないと確認した場合には、その遅延情報を反転部６４に出力して、適切と考えられる他の遅延情報を生成させる。その遅延情報が適切なものと確認した場合には、ＦＦＴ窓の位置を設定する。最適位置判定部６５は、他の遅延情報から設定すべきＦＦＴ窓の位置を決定し、位置設定部６２を介してＦＦＴ窓の位置を設定する。【選択図】図６
2007324905.tif 000002
【特許請求の範囲】
【請求項１】
ＯＦＤＭ（Orthogonal Frequency Division Multiplexing：直交周波数分割多重）方式により送信されたＯＦＤＭ信号を受信するＯＦＤＭ受信機において、
受信して直交復調を行った後のＯＦＤＭ信号を対象にフーリエ変換を行い、周波数領域のＯＦＤＭ信号を出力するフーリエ変換回路と、
前記周波数領域のＯＦＤＭ信号に存在する分散パイロット情報から、伝送路の第１の遅延量を検出する遅延量検出手段と、
前記フーリエ変換回路により変換された前記周波数領域のＯＦＤＭ信号、及び前後のシンボルのＯＦＤＭ信号から得られるピーク位置情報のうちの少なくとも一方を基に、前記遅延量検出手段が検出した前記第１の遅延量が適切か否か判定し、前記第１の遅延量が適切でないと判定した場合に、第２の遅延量を算出し、前記第１の遅延量または前記第２の遅延量のうちのいずれか一方を用いて、前記フーリエ変換回路が前記ＯＦＤＭ信号のなかでフーリエ変換を行うべき範囲を示す時間窓の位置を設定する窓制御手段と
を具備することを特徴とするＯＦＤＭ受信機。
【請求項２】
前記遅延量が適切か否かの判定は、前記第１の遅延量の絶対値が予め定めた範囲外となっている場合に行う
ことを特徴とする請求項１記載のＯＦＤＭ受信機。
【請求項３】
前記フーリエ変換回路による変換結果は、前記フーリエ変換回路に接続された伝送路等化部からのＭＥＲ（Modulation Error Rate）情報と、前記伝送路等化部に接続された訂正部からのＢＥＲ（Bit Error Rate）情報である
ことを特徴とする請求項１、または２記載のＯＦＤＭ受信機。
【請求項４】
妨害波としてＯＦＤＭ（Orthogonal Frequency Division Multiplexing：直交周波数分割多重）信号が受信される状況下で該妨害波の種類を判別するために用いられる方法であって、
前後のシンボルのＯＦＤＭ信号から得られるピーク位置情報を取得し、
該取得したピーク位置情報が表す形状を基に、前記妨害波が先行波、及び遅延波の何れであるか判別する
ことを特徴とする妨害波判別方法。
【請求項５】
ＯＦＤＭ（Orthogonal Frequency Division Multiplexing：直交周波数分割多重）方式により送信されたＯＦＤＭ信号を受信するＯＦＤＭ受信機に、受信して直交復調を行った後のＯＦＤＭ信号のなかでフーリエ変換の対象となる部分を示す時間窓の位置を制御するために搭載される窓制御装置において、
前記周波数領域のＯＦＤＭ信号に存在する分散パイロット情報から検出される伝送路の遅延量を示す第１の遅延情報を取得する遅延情報取得手段と、
前後のシンボルのＯＦＤＭ信号から得られるピーク位置情報を少なくとも取得する位置情報取得手段と、
前記位置情報取得手段が取得したピーク位置情報を基に、前記遅延情報取得手段が取得した前記第１の遅延情報が適切か否か判定し、前記第１の遅延情報が適切でないと判定した場合に、第２の遅延情報を算出し、前記第１の遅延情報または前記第２の遅延情報のうちいずれか一方を用いて、前記ＯＦＤＭ信号のなかで前記フーリエ変換を行うべき範囲を示す時間窓の位置を設定する窓制御手段と
を具備することを特徴とする窓制御装置。
【請求項６】
前記第１の遅延情報が適切か否かの判定は、前記第１の遅延情報が示す遅延量の絶対値が予め定めた範囲外となっている場合に行う
ことを特徴とする請求項５記載の窓制御装置。
【請求項７】
前記窓制御手段は、前記位置情報取得手段が取得したピーク位置情報、前記フーリエ変換回路に接続された伝送路等化部からのＭＥＲ（Modulation Error Rate）情報及び前記伝送路等化部に接続された訂正部からのＢＥＲ（Bit Error Rate）情報を基に、前記第１の遅延情報が適切か否か判定を行い、該遅延情報が適切でないと判定した場合に、前記第２の遅延情報の算出を行う
ことを特徴とする請求項５、または６記載の窓制御装置。
【請求項８】
ＯＦＤＭ（Orthogonal Frequency Division Multiplexing：直交周波数分割多重）方式により送信されたＯＦＤＭ信号を受信するＯＦＤＭ受信機で、受信して直交復調を行った後のＯＦＤＭ信号のなかでフーリエ変換の対象となる部分を示す時間窓の位置を制御するための方法であって、
前記周波数領域のＯＦＤＭ信号に存在する分散パイロット情報から検出される伝送路の遅延量を示す第１の遅延情報を取得し、
前後のシンボルのＯＦＤＭ信号から得られるピーク位置情報を少なくとも取得し、
前記ピーク位置情報を基に、前記第１の遅延情報が適切か否か判定し、前記第１の遅延情報が適切でないと判定した場合に、第２の遅延情報を算出し、
前記第１の遅延情報または前記第２の遅延情報のうちいずれか一方を用いて、前記ＯＦＤＭ信号のなかで前記フーリエ変換を行うべき範囲を示す時間窓の位置を設定する
ことを特徴とする窓制御方法。
【請求項９】
前記第１の遅延情報が適切か否かの判定は、前記第１遅延情報が示す遅延量の絶対値が予め定めた範囲外となっている場合に行う
ことを特徴とする請求項８記載の窓制御方法。
【請求項１０】
前記前記窓制御手段は、前記位置情報取得手段が取得したピーク位置情報、前記フーリエ変換回路に接続された伝送路等化部からのＭＥＲ（Modulation Error Rate）情報及び前記伝送路等化部に接続された訂正部からのＢＥＲ（Bit Error Rate）情報を基に、前記第１の遅延情報が適切か否か判定を行い、前記第１の遅延情報が適切でないと判定した場合に、前記第２の遅延情報の算出を行う
ことを特徴とする請求項８、または９記載の窓制御方法。
【発明の詳細な説明】
【技術分野】
【０００１】
本発明は、ＯＦＤＭ（Orthogonal FrequencyDivision Multiplexing：直交周波数分割多重）方式により送信されたＯＦＤＭ信号を受信し、適切に復調するための技術に関する。
【背景技術】
【０００２】
近年、データを伝送する方式として、ＯＦＤＭ（Orthogonal FrequencyDivision Multiplexing：直交周波数分割多重）方式と呼ばれる伝送方式が提案されている。そのＯＦＤＭ方式では、周波数軸上で直交している複数のキャリア（サブキャリア）にそれぞれデータを割り当てて伝送する。変調は逆高速フーリエ変換（ＩＦＦＴ）、復調は高速フーリエ変換（ＦＦＴ）を用いて行うのが普通である。ＦＦＴは、時間窓（ＦＦＴ窓）分を対象に行われる。ＯＦＤＭ方式は周波数利用効率が高いことから、地上波デジタル放送への適用が広く検討されており、日本の地上波デジタル放送であるＩＳＤＢ−Ｔ（Integrated Services Digital Broadcasting-Terrestrial）の規格では採用されている。
【０００３】
従来の単一搬送波（キャリア）を用いたデジタル変調方式では、高速伝送になるほどシンボル期間が短くなる為、マルチパス（携帯電話やテレビジョン放送などにおいて、基地局、或いは放送局から送信された電波が、建物などの障害物によって反射し、受信側が複数の経路から同じ電波を受信してしまうこと）が生じているような状況下（マルチパス環境）では、信号の復調が困難である。そこでＯＦＤＭ方式では、１つのキャリアではなく、複数のキャリアに情報を分割して送信するマルチキャリア伝送方式となっている。データを分割して複数のキャリアにより送信する為、それぞれのキャリアでシンボル長を長くすることが可能となり、それによって長い遅延のマルチパスにも対応可能となっている。また、複数のキャリアにデータをそれぞれ割り当てる為、キャリア毎に変調方式を変えることも可能である。
【０００４】
図４は、ＯＦＤＭ信号のフォーマットを説明する図である。図４において、時間・周波数領域で変調されたキャリア（サブキャリア）は丸で示している。その丸のなかで黒く塗りつぶしたものは分散パイロット（ＳＰ：Scattered Pilot）情報が配置されたキャリア（以降「ＳＰキャリア」と呼ぶ）を示し、黒く塗りつぶしていないものはデータが配置されたキャリアを示している。図４に示すようにＳＰ情報は、周波数軸方向では１２キャリアに１個、時間軸方向では４シンボルに１個、配置されている。
【０００５】
ＯＦＤＭ方式では、シンボルの終わりの部分をそのシンボルの前に付加することで、マルチパスに対する耐性を強めている。この付加した信号はガードインターバルと呼ばれる。
【０００６】
マルチパス環境で受信する電波は、最大電力の電波は主波、主波より遅れて受信される電波は遅延波、それより早く受信される電波は先行波、と呼ばれる。主波は通常、直接、受信される電波、つまり障害物による反射等が行われていない電波である。遅延波は、障害物による反射の他に、回折や散乱などによっても生じる。復調の障害となる電波は妨害波と総称される。
【０００７】
図１は、ガードインターバルによる効果を説明する図である。同図（ａ）はガードインターバルがない場合、同図（ｂ）はガードインターバルがある場合、の主波と遅延波間におけるシンボルの対応関係を表している。図１に表記した「ｎ−１」「ｎ」及び「ｎ＋１」はシンボルが送信された順序を表している。これは以降でも同様である。
【０００８】
ＦＦＴは、ＦＦＴ窓によって指定された範囲を対象に行われる。このため、図１（ａ）に示すように、ガードインターバルがない場合、主波のシンボルｎのＦＦＴを行う際に遅延波のシンボルｎ−１を取り込んでしまい、それによって前後のシンボル間干渉が生じて劣化がおきてしまう。これに対してガードインターバルがある場合には、図１（ｂ）に示すように、直前に位置するシンボルｎ−１を取り込むことがないため、シンボル間干渉が生じることなく復調することができる。
【０００９】
ＦＦＴ窓の位置は、復調を適切に行うために、対象とすべきシンボルの位置に合わせて制御される。その制御（ＦＦＴ窓制御）により、遅延波が存在する状況下では、ＦＦＴ窓の位置は主波のシンボルの位置に合わせられる。これは、ガードインターバルはシンボルの前に付加するからである。しかし、遅延波ではなく先行波が存在する状況下では、主波のシンボルが存在する範囲内に、先行波の次のシンボルが重なってしまうことになる（図２）。このため、主波のシンボルの位置に合わせると、シンボル間干渉が生じて正しく復調できなくなる。このことから、先行波が存在する状況下では、以下のようにＦＦＴ窓制御が行われる。図２を参照して具体的に説明する。
【００１０】
図２は、先行波がある場合に行われるＦＦＴ窓制御を説明する図である。同図（ａ）は正しくＦＦＴ窓制御していない場合、同図（ｂ）は正しくＦＦＴ制御した場合のＦＦＴ窓の位置を表している。
【００１１】
図２（ａ）に示すように、遅延波のときと同じく主波のシンボルｎにＦＦＴ窓の位置を合わせると、シンボルｎのＦＦＴを行う際に先行波のシンボルｎ＋１を取り込んでしまい、シンボル間干渉が生じて正しく復調できなくなる。それに対してＦＦＴ窓の位置を先行波のシンボルｎに合わせると、図２（ｂ）に示すように、ＦＦＴ窓の範囲は主波、先行波ともにシンボルｎのデータであるため、正常に復調することができる。
【００１２】
以上のようなＦＦＴ窓制御を行うことにより、ガードインターバル長の範囲内に収まっているマルチパス環境では正しく復調することができる。このため、ＳＦＮ（Single Frequency Network）放送が可能である。そのＳＦＮ放送では、同じプログラムを同一の周波数（チャンネル）で中継・伝送し、複数局で同時放送する。それにより、マルチパス環境となるが、ＯＦＤＭ方式を採用することで実現することができる。
【００１３】
図３は、従来のＯＦＤＭ受信機の構成を説明する図である。ここで図３を参照して、従来のＯＦＤＭ受信機について具体的に説明する。
そのＯＦＤＭ受信機は、例えば地上波デジタル放送を想定したものであり、アンテナ３１、チューナ３２、Ａ／Ｄ変換器３３、直交復調部３４、ＦＦＴ部３５、伝送路等化部３６、誤り訂正部３７、ＩＦＦＴ部３８、及び遅延情報抽出部３９を備えた構成である。
【００１４】
次に動作を説明する。
アンテナ３１で受信されたＯＦＤＭ信号はチューナ３２に入力され、チューナ３２によって選択されたＯＦＤＭ信号のみがＡ／Ｄ変換器３３に入力され、デジタル化される。デジタル化されたＯＦＤＭ信号は、直交復調部３４に入力されて直交復調される。その直交復調により、ベースバンドのＯＦＤＭ信号が生成される。ＦＦＴ部３５は、そのＯＦＤＭ信号を入力し、ＦＦＴ窓で指定された部分を抽出してＦＦＴを行い、時間領域の信号を周波数領域の信号に変換する。伝送路等化部３６は、伝送路を推定し、周波数領域に変換されたＯＦＤＭ信号からノイズや波形歪みの影響を除去する。誤り訂正部３７は、そのような除去によって補償した後のＯＦＤＭ信号を対象に誤り訂正を行う。その訂正は、ＯＦＤＭ信号に付加された誤り訂正符号を用いて行う。その訂正を行った後のＯＦＤＭ信号が最終的な復調信号として出力される。
【００１５】
ＩＦＦＴ部３８は、ＦＦＴ部３５が出力するＯＦＤＭ信号中からＳＰキャリア分のみを抽出してＩＦＦＴを行い、時間領域の信号に戻す。遅延情報抽出部３９は、ＳＰキャリアの時間領域の信号から、伝送路の遅延時間（遅延情報）を検出し、その遅延時間に応じてＦＦＴ窓の位置を設定することによりＦＦＴ窓制御を行う。ＦＦＴ部３５は、その窓制御によって設定されたＦＦＴ窓の位置に従ってＦＦＴを行う。
【特許文献１】特開２００１−３４５７７５号公報
【特許文献２】特開２００２−１１０５１９号公報
【特許文献３】特開２００４−２２８８５３号公報
【特許文献４】特開２００４−３３６２７９号公報
【発明の開示】
【発明が解決しようとする課題】
【００１６】
上述したように、ガードインターバルの付加により、そのインターバル長以内の遅延波、或いは先行波には対応することができる。上記ＳＦＮ放送では、ガードインターバルの許容範囲外までに及ぶ妨害波が生じる地域がある。その地域では発生する干渉によって適切に復調できない。
【００１７】
ＯＦＤＭ方式で採用する変調方式によっては、ＦＦＴ窓の位置を適切に合わせることで、ある程度は劣化しても受信することが可能である。このことから、ガードインターバルの許容範囲外のマルチパスが存在するマルチパス環境でも、ＦＦＴ窓の位置を正しく合わせるようにすることが重要である。
【００１８】
図３に示す従来のＯＦＤＭ受信機では、ＳＰキャリアから伝送路の遅延情報を検出し、ＦＦＴ窓制御を行っている。そのＳＰキャリアは図４に示すようにＯＦＤＭ信号中に配置される。それにより、時間軸上では３キャリア間隔で利用可能となるため、遅延情報の検出可能な範囲は１／３シンボル長までとなる。１シンボル長はＩＳＤＢ−Ｔのモード３の場合は１．００８ｍｓである。このため、その範囲は３３６（＝１００８／３）μｓまでとなる。遅延波と先行波の両方を考えると、±１／６シンボル長までとなる。ＩＳＤＢ−Ｔのモード３の場合は±１６８μｓが限界となる。
【００１９】
このようなことから、仮に２００μｓの先行波があった場合には、ＳＰキャリアによるＦＦＴ窓制御では±１６８μｓが検出限界であることにより、２００μｓの先行波はその性質上１３６μｓの遅延波と見なされてしまう。そのように妨害波を正しく認識できなくなるため、正しいＦＦＴ窓制御を行うことが不可能となる。
【００２０】
ＩＳＤＢ−Ｔで一般的なモード３、ガードインターバル長が１／８シンボル長の場合、そのガードインターバル長は１２６μｓとなる。ＳＰキャリアによる従来のＦＦＴ窓制御は、そのガードインターバル長以内のマルチパス環境では正しく行うことが可能である。しかし、上述したようなことから、そのガードインターバル長以上のマルチパス環境では正しく行うことは非常に困難なのが現状である。このことから、ＳＰキャリアにより検出可能な範囲を超える妨害波（遅延波または先行波）を含む環境でも正しくＦＦＴ窓制御を行えるようにすることが重要と考えられる。
【００２１】
本発明は、以上のようなことに鑑みてなされたものであり、ＳＰキャリアにより検出可能な範囲を超える妨害波（遅延波または先行波）を含む環境でも正しくＦＦＴ窓制御を行えるようにする技術を提供することを目的とする。
【課題を解決するための手段】
【００２２】
本発明のＯＦＤＭ（Orthogonal Frequency Division Multiplexing：直交周波数分割多重）受信機は、ＯＦＤＭ方式により送信されたＯＦＤＭ信号を受信することを前提とし、受信して直交復調を行った後のＯＦＤＭ信号を対象にフーリエ変換を行い、周波数領域のＯＦＤＭ信号を出力するフーリエ変換回路と、周波数領域のＯＦＤＭ信号に存在する分散パイロット情報から、伝送路の第１の遅延量を検出する遅延量検出手段と、フーリエ変換回路により変換された周波数領域のＯＦＤＭ信号、及び前後のシンボルのＯＦＤＭ信号から得られるピーク位置情報のうちの少なくとも一方を基に、遅延量検出手段が検出した第１の遅延量が適切か否か判定し、第１の遅延量が適切でないと判定した場合に、第２の遅延量を算出し、第１の遅延量または第２の遅延量のうちのいずれか一方を用いて、フーリエ変換回路がＯＦＤＭ信号のなかでフーリエ変換を行うべき範囲を示す時間窓の位置を設定する窓制御手段とを具備する。
【００２３】
なお、上記遅延量が適切か否かの判定は、第１の遅延量の絶対値が予め定めた範囲外となっている場合に行うことが望ましい。また、フーリエ変換回路による変換結果は、フーリエ変換回路に接続された伝送路等化部からのＭＥＲ（Modulation Error Rate）情報と、伝送路等化部に接続された訂正部からのＢＥＲ（Bit Error Rate）情報であることが望ましい。
【００２４】
本発明の妨害波判別方法は、妨害波としてＯＦＤＭ（Orthogonal FrequencyDivision Multiplexing：直交周波数分割多重）信号が受信される状況下で該妨害波の種類を判別するために用いられる方法であって、前後のシンボルのＯＦＤＭ信号から得られるピーク位置情報を取得し、該取得したピーク位置情報が表す形状を基に、妨害波が先行波、及び遅延波の何れであるか判別する。
【００２５】
本発明の窓制御装置は、ＯＦＤＭ（Orthogonal FrequencyDivision Multiplexing：直交周波数分割多重）方式により送信されたＯＦＤＭ信号を受信するＯＦＤＭ受信機に、受信して直交復調を行った後のＯＦＤＭ信号のなかでフーリエ変換の対象となる部分を示す時間窓の位置を制御するために搭載されることを前提とし、周波数領域のＯＦＤＭ信号に存在する分散パイロット情報から検出される伝送路の遅延量を示す第１の遅延情報を取得する遅延情報取得手段と、前後のシンボルのＯＦＤＭ信号から得られるピーク位置情報を少なくとも取得する位置情報取得手段と、位置情報取得手段が取得したピーク位置情報を基に、遅延情報取得手段が取得した第１の遅延情報が適切か否か判定し、第１の遅延情報が適切でないと判定した場合に、第２の遅延情報を算出し、第１の遅延情報または第２の遅延情報のうちいずれか一方を用いて、ＯＦＤＭ信号のなかでフーリエ変換を行うべき範囲を示す時間窓の位置を設定する窓制御手段とを具備する。
【００２６】
なお、上記第１の遅延情報が適切か否かの判定は、第１の遅延情報が示す遅延量の絶対値が予め定めた範囲外となっている場合に行うことが望ましい。また、上記窓制御手段は、位置情報取得手段が取得したピーク位置情報、フーリエ変換回路に接続された伝送路等化部からのＭＥＲ（Modulation Error Rate）情報及び伝送路等化部に接続された訂正部からのＢＥＲ（Bit Error Rate）情報を基に、第１の遅延情報が適切か否か判定を行い、該遅延情報が適切でないと判定した場合に、第２の遅延情報の算出を行うことが望ましい。
【００２７】
本発明の窓制御方法は、ＯＦＤＭ（Orthogonal FrequencyDivision Multiplexing：直交周波数分割多重）方式により送信されたＯＦＤＭ信号を受信するＯＦＤＭ受信機で、受信して直交復調を行った後のＯＦＤＭ信号のなかでフーリエ変換の対象となる部分を示す時間窓の位置を制御するための方法であって、周波数領域のＯＦＤＭ信号に存在する分散パイロット情報から検出される伝送路の遅延量を示す第１の遅延情報を取得し、前後のシンボルのＯＦＤＭ信号から得られるピーク位置情報を少なくとも取得し、ピーク位置情報を基に、第１の遅延情報が適切か否か判定し、第１の遅延情報が適切でないと判定した場合に、第２の遅延情報を算出し、第１の遅延情報または第２の遅延情報のうちいずれか一方を用いて、ＯＦＤＭ信号のなかでフーリエ変換を行うべき範囲を示す時間窓の位置を設定する。
【発明の効果】
【００２８】
本発明では、前後のシンボルのＯＦＤＭ信号から得られるピーク位置情報を参照して、周波数領域のＯＦＤＭ信号に存在する分散パイロット情報から検出される伝送路の遅延量（第１の遅延量）が適切か否か判定し、その遅延量が適切でないと判定した場合に、その遅延量から他の遅延量（第２の遅延量）を算出し、その算出した遅延量を用いて時間窓の位置を設定する。
【００２９】
分散パイロット情報による遅延量の検出では、先行波を遅延波と誤認識するか、或いはその逆に遅延波を先行波と誤認識する可能性がある。しかし、ピーク位置情報が示す形状は、妨害波が先行波か遅延波かによって変化する。このため、ピーク位置情報を参照することにより、妨害波が先行波、及び遅延波の何れであるか判別することができ、その判別結果を用いて、分散パイロット情報から検出した遅延量が正しいか否か確認することができる。それにより、その確認結果を時間窓の位置の設定、つまり時間（ＦＦＴ）窓制御に反映させることにより、誤認識の影響を排除することができ、復調は常に適切に行えるようになる。
【発明を実施するための最良の形態】
【００３０】
以下、本発明の実施の形態について、図面を参照しながら詳細に説明する。
図５は、本実施の形態によるＯＦＤＭ受信機の構成を説明する図である。そのＯＦＤＭ受信機は、例えば地上波デジタル放送を想定したものであり、アンテナ５１、チューナ５２、Ａ／Ｄ変換器５３、直交復調部５４、ＦＦＴ部（フーリエ変換回路）５５、伝送路等化部５６、誤り訂正部５７、ＩＦＦＴ部５８、遅延情報抽出部５９、及びＦＦＴ窓制御量判定部６０を備えた構成となっている。本実施の形態による窓制御装置は、ＦＦＴ窓制御量判定部６０として実現されている。
【００３１】
次に動作を説明する。
アンテナ５１で受信されたＯＦＤＭ信号はチューナ５２に入力され、チューナ５２によって選択されたＯＦＤＭ信号のみがＡ／Ｄ変換器５３に入力され、デジタル化される。デジタル化されたＯＦＤＭ信号は、直交復調部５４に入力されて直交復調される。その直交復調により、ベースバンドのＯＦＤＭ信号が生成される。ＦＦＴ部５５は、そのＯＦＤＭ信号を入力し、ＦＦＴ窓で指定された部分を抽出してＦＦＴを行い、時間領域の信号を周波数領域の信号に変換する。その変換を行うことにより、受信したＯＦＤＭ信号が復調される。
【００３２】
伝送路等化部５６は、キャリア毎に伝送路を推定し、周波数領域に変換されたＯＦＤＭ信号からノイズや波形歪みの影響を除去する。誤り訂正部５７は、そのような除去によって補償した後のＯＦＤＭ信号を対象に誤り訂正を行う。その訂正は、ＯＦＤＭ信号に付加された誤り訂正符号を用いて行う。その訂正を行った後のＯＦＤＭ信号が最終的な復調信号として出力される。
【００３３】
ＩＦＦＴ部５８は、ＦＦＴ部５５が出力するＯＦＤＭ信号中からＳＰキャリア分のみを抽出してＩＦＦＴを行い、時間領域の信号に戻す。遅延情報抽出部５９は、ＳＰキャリアの時間領域の信号から、伝送路の遅延時間（遅延情報）を検出する。ＦＦＴ窓制御量判定部６０は、遅延情報抽出部５９から遅延情報を入力し、その遅延情報を用いたＦＦＴ窓制御を行う。また、必要に応じて、その遅延情報が適切なものか否か確認し、適切でないことを確認した場合、その遅延情報とは異なる遅延情報を生成し、生成した遅延情報を用いたＦＦＴ窓制御を行う。遅延情報抽出部５９から入力した遅延情報が適切なものか否か確認するために、直交復調部５４からピーク位置情報、伝送路等化部５６からＭＥＲ（Modulation Error Rate）情報、誤り訂正部５７からＢＥＲ（Bit Error Rate）情報をそれぞれ取得する。
【００３４】
図７は、ピーク位置情報を説明する図である。
このピーク位置情報は、ＯＦＤＭ方式ではガードインターバルを付加していることを利用して、ＦＦＴ窓の位置を検知するために一般的に用いられている情報である。図７に示すように、現在対象とするシンボル（現シンボル）とそれより１つ前のシンボルの相関を求め、その移動平均を求めることで生成される。求めた相関の値は、同じシンボル間で０でない値となる。このため、移動平均は、図７に示すようにピークを持つものとなる。
【００３５】
直交復調部５４は、前のシンボルのＯＦＤＭ信号を格納するためのメモリを備え、そのメモリを用いてピーク位置情報を生成する。そのピーク位置情報は、キャリア周波数誤差、送受信機間のサンプリング周波数誤差の補正に用いられる。
【００３６】
伝送路等化部５６は、キャリア毎に伝送路を推定して、ＯＦＤＭ信号からノイズや波形歪みの影響を除去する。ＭＥＲ情報は、その影響の度合いを表す情報である。ＢＥＲ情報は、復調したデータのなかで正しく復調できなかったデータの割合を示す情報である。
【００３７】
ＭＥＲ情報、及びＢＥＲ情報は、ＦＦＴ処理によって復調されたＯＦＤＭ信号の状態を表す情報である。このため、ＦＦＴ窓の位置が適切なものか否かの判定に用いている。ＦＦＴ窓制御量判定部６０は、ピーク位置情報、ＭＥＲ情報、及びＢＥＲ情報を参照して、遅延情報抽出部５９が抽出した遅延情報が適切なものか否か判定する。それにより、その遅延情報が適切なものでないと判定した場合に、適切と考えられる遅延情報を新たに生成し、生成した遅延情報を用いたＦＦＴ窓制御を行う。ここでは混乱を避けるため以降、遅延情報抽出部５９が抽出した遅延情報は「第１の遅延情報」、新たに生成する遅延情報は「第２の遅延情報」と表記する。
【００３８】
図６は、上記ＦＦＴ窓制御量判定部６０の機能構成を説明する図である。その判定部６０は、図６に示すように、先行波制御部６１、ピーク位置制御部６３、反転部６４、最適位置判定部６５、及び位置設定部６２を備えた構成となっている。
【００３９】
次に、動作を説明する。
先行波制御部６１は、一定量以上の遅延量の妨害波が存在していない場合のＦＦＴ窓制御を行うためのものである。第１の遅延情報が先行波の存在を表している場合には、先行波にＦＦＴ窓の位置を合わせる制御を行う。
【００４０】
先行波制御部６１が対象とする遅延量は、対応可能とさせる最大遅延量（ここでは絶対値）に依存する。例えば最大遅延量を２５２μｓ（ＩＳＤＢ−Ｔのモード３では１／４シンボル長に相当）とすれば、ＳＰキャリアによる検出限界となる１／３シンボル長（モード３では３３６μｓ）からこの数値（２５２μｓ）を引いた値（８４＝３３６−２５２）となる。これは、図９に示すように、１６８μｓ以上２５２μｓ以下では逆方向の１６８μｓ以下８４μｓ以上と誤って遅延量を検出してしまう可能性があるためである。即ち例えば１６８μｓ以上２５２μｓ以下の遅延波を１６８μｓ以下８４μｓ以上の先行波と誤って見なしてしまうような可能性があるためである。そのような可能性のない範囲内（挙げた例では−８４μｓ〜＋８４μｓの範囲内）の遅延量でのＦＦＴ窓制御を先行波制御部６１に行わせるため、その制御は常に適切に行うことができる。図９では、２５２μｓの遅延波を８４μｓの先行波と誤認識したことを表している。
【００４１】
ＦＦＴ窓制御によるＦＦＴ窓の位置の設定は、位置設定部６２を介して行われる。位置設定部６２は、ＦＦＴ部５５にＦＦＴ窓設定信号を出力して、ＦＦＴ窓の位置を設定する。ＦＦＴ部５５は、位置設定部６２により位置が設定されたＦＦＴ窓に従って、ＯＦＤＭ信号からＦＦＴの対象となる部分を抽出する。
【００４２】
ピーク位置制御部６３は、その範囲外の制御を行うためのものである。第１の遅延情報が先行波制御部６１の対象範囲外の遅延量を示していた場合、ピーク位置情報を参照して、妨害波が遅延波、先行波の何れであるか判定し、その判定結果を用いて、第１の遅延情報が適切なものか否か確認する。
【００４３】
図８は、ピーク位置情報が表す形状の妨害波による変化を説明する図である。同図（ａ）は先行波があるマルチパスの場合、同図（ｂ）は遅延波があるマルチパスの場合の形状をそれぞれ示している。
【００４４】
ピーク位置情報（相関値の移動平均）が表す形状は、図８に示すように、妨害波が先行波、遅延波の何れであるかによって変化する。妨害波が先行波であった場合（図２（ａ）、或いは図２（ｂ））、図８（ａ）に示すように、ピークを境にして、そのピークから移動平均が０となるポイントまでの範囲は、時間軸上で早い側のほうが長くなっている。妨害波が遅延波であった場合には（図１（ｂ））、図８（ｂ）に示すようにその逆となる。ピーク位置制御部６３は、そのことに着目し、妨害波が先行波、遅延波の何れであるか判定し、第１の遅延情報がその判定結果と矛盾するか否か確認することにより、その第１の遅延情報が適切なものか否か確認する。それにより、第１の遅延情報が適切なものではないと確認した場合には、第１の遅延情報を反転部６４に出力して、適切と考えられる第２の遅延情報を生成させる。第１の遅延情報が適切なものと確認した場合には、第１の遅延情報から設定すべきＦＦＴ窓の位置を決定し、位置設定部６２を介してＦＦＴ窓の位置を設定する。
【００４５】
図８に示すように、ピーク位置情報から妨害波の種類を確認することができる。このため、誤った遅延量の抽出によるＦＦＴ窓制御によって生じる劣化を回避することができる。
【００４６】
ＳＰキャリアによるＦＦＴ窓制御では±１６８μｓが検出限界であれば、仮に２００μｓの先行波があった場合には、２００μｓの先行波はその性質上１３６μｓの遅延波と見なし、遅延情報抽出部５９は１３６μｓを第１の遅延情報として抽出する。このようなことから反転部６４は、第１の遅延情報が１３６μｓであれば、それから２００μｓの第２の遅延情報を生成し、最適位置判定部６５に出力する。最適位置判定部６５は、そのような反転処理によって生成した第２の遅延情報から設定すべきＦＦＴ窓の位置を決定し、位置設定部６２を介してＦＦＴ窓の位置を設定する。
【００４７】
ピーク位置情報による妨害波の種類の判定では、その種類を正しく判定できない可能性がある。このことから、最適位置判定部６５は、ＢＥＲ情報、ＭＥＲ情報をモニタし、一定レベルより良い受信状況であれば、先行波を遅延波と誤認識、或いはその逆の誤認識を行っていないと判断し、ピーク位置情報による確認が適切に行えたと見なす。逆にＢＥＲ情報、或いはＭＥＲ情報が悪い受信状況を示していれば、ピーク位置情報による確認が誤っていた可能性があるとして、現在有効としている遅延情報を反転部６４に反転処理させて得られる遅延情報によりＦＦＴ窓の位置を決定し、位置設定部６２を介してその位置の設定を行う。それにより、現在有効としている遅延情報が１００μｓの先行波と示していれば、その先行波は２６８μｓの遅延波を誤認識したものとして、ＦＦＴ窓を主波に合わせるＦＦＴ窓制御を行う。その逆であれば、ＦＦＴ窓を先行波に合わせるＦＦＴ窓制御を行う。そのようにして、ＦＦＴ窓制御を状況に応じて適切な形で行い、より適切に受信できるように維持させる。
【００４８】
最適位置判定部６５は、ＢＥＲ情報、ＭＥＲ情報による受信状況の確認を随時、行い、その受信状況が悪ければ反転処理を行い、ＦＦＴ窓の位置の設定を行う。それにより、より適切に受信できるようにＦＦＴ窓制御を行い、ＦＦＴ窓の位置を最適化する。
【００４９】
なお、本実施の形態では、受信状況の確認をＢＥＲ情報、及びＭＥＲ情報により行っているが、その確認は、それらのうちの一方のみを用いて行うようにしても良い。最適位置判定部６５による反転処理は、一時的な劣化を伴うため、一定期間の経過を条件に行うようにさせても良い。
【００５０】
（付記１）
ＯＦＤＭ（Orthogonal Frequency Division Multiplexing：直交周波数分割多重）方式により送信されたＯＦＤＭ信号を受信するＯＦＤＭ受信機において、
受信して直交復調を行った後のＯＦＤＭ信号を対象にフーリエ変換を行い、周波数領域のＯＦＤＭ信号を出力するフーリエ変換回路と、
前記周波数領域のＯＦＤＭ信号に存在する分散パイロット情報から、伝送路の第１の遅延量を検出する遅延量検出手段と、
前記フーリエ変換回路により変換された前記周波数領域のＯＦＤＭ信号、及び前後のシンボルのＯＦＤＭ信号から得られるピーク位置情報のうちの少なくとも一方を基に、前記遅延量検出手段が検出した前記第１の遅延量が適切か否か判定し、前記第１の遅延量が適切でないと判定した場合に、第２の遅延量を算出し、前記第１の遅延量または前記第２の遅延量のうちのいずれか一方を用いて、前記フーリエ変換回路が前記ＯＦＤＭ信号のなかでフーリエ変換を行うべき範囲を示す時間窓の位置を設定する窓制御手段と
を具備することを特徴とするＯＦＤＭ受信機。
【００５１】
（付記２）
前記遅延量が適切か否かの判定は、前記第１の遅延量の絶対値が予め定めた範囲外となっている場合に行う
ことを特徴とする付記１記載のＯＦＤＭ受信機。
【００５２】
（付記３）
前記フーリエ変換回路による変換結果は、前記フーリエ変換回路に接続された伝送路等化部からのＭＥＲ（Modulation Error Rate）情報と、前記伝送路等化部に接続された訂正部からのＢＥＲ（Bit Error Rate）情報である
ことを特徴とする付記１、または２記載のＯＦＤＭ受信機。
【００５３】
（付記４）
妨害波としてＯＦＤＭ（Orthogonal Frequency Division Multiplexing：直交周波数分割多重）信号が受信される状況下で該妨害波の種類を判別するために用いられる方法であって、
前後のシンボルのＯＦＤＭ信号から得られるピーク位置情報を取得し、
該取得したピーク位置情報が表す形状を基に、前記妨害波が先行波、及び遅延波の何れであるか判別する
ことを特徴とする妨害波判別方法。
【００５４】
（付記５）
前記ＯＦＤＭ信号の復調結果を参照して、前記妨害波が先行波、及び遅延波の何れであるかの判別を行う
ことを特徴とする付記４記載の妨害波判別方法。
【００５５】
（付記６）
ＯＦＤＭ（Orthogonal Frequency Division Multiplexing：直交周波数分割多重）方式により送信されたＯＦＤＭ信号を受信するＯＦＤＭ受信機に、受信して直交復調を行った後のＯＦＤＭ信号のなかでフーリエ変換の対象となる部分を示す時間窓の位置を制御するために搭載される窓制御装置において、
前記周波数領域のＯＦＤＭ信号に存在する分散パイロット情報から検出される伝送路の遅延量を示す第１の遅延情報を取得する遅延情報取得手段と、
前後のシンボルのＯＦＤＭ信号から得られるピーク位置情報を少なくとも取得する位置情報取得手段と、
前記位置情報取得手段が取得したピーク位置情報を基に、前記遅延情報取得手段が取得した前記第１の遅延情報が適切か否か判定し、前記第１の遅延情報が適切でないと判定した場合に、第２の遅延情報を算出し、前記第１の遅延情報または前記第２の遅延情報のうちいずれか一方を用いて、前記ＯＦＤＭ信号のなかで前記フーリエ変換を行うべき範囲を示す時間窓の位置を設定する窓制御手段と
を具備することを特徴とする窓制御装置。
【００５６】
（付記７）
前記第１の遅延情報が適切か否かの判定は、前記第１の遅延情報が示す遅延量の絶対値が予め定めた範囲外となっている場合に行う
ことを特徴とする付記６記載の窓制御装置。
【００５７】
（付記８）
前記窓制御手段は、前記位置情報取得手段が取得したピーク位置情報、前記フーリエ変換回路に接続された伝送路等化部からのＭＥＲ（Modulation Error Rate）情報及び前記伝送路等化部に接続された訂正部からのＢＥＲ（Bit Error Rate）情報を基に、前記第１の遅延情報が適切か否か判定を行い、該遅延情報が適切でないと判定した場合に、前記第２の遅延情報の算出を行う
ことを特徴とする付記６、または７記載の窓制御装置。
【００５８】
（付記９）
ＯＦＤＭ（Orthogonal Frequency Division Multiplexing：直交周波数分割多重）方式により送信されたＯＦＤＭ信号を受信するＯＦＤＭ受信機で、受信して直交復調を行った後のＯＦＤＭ信号のなかでフーリエ変換の対象となる部分を示す時間窓の位置を制御するための方法であって、
前記周波数領域のＯＦＤＭ信号に存在する分散パイロット情報から検出される伝送路の遅延量を示す第１の遅延情報を取得し、
前後のシンボルのＯＦＤＭ信号から得られるピーク位置情報を少なくとも取得し、
前記ピーク位置情報を基に、前記第１の遅延情報が適切か否か判定し、前記第１の遅延情報が適切でないと判定した場合に、第２の遅延情報を算出し、
前記第１の遅延情報または前記第２の遅延情報のうちいずれか一方を用いて、前記ＯＦＤＭ信号のなかで前記フーリエ変換を行うべき範囲を示す時間窓の位置を設定する
ことを特徴とする窓制御方法。
【００５９】
（付記１０）
前記第１の遅延情報が適切か否かの判定は、前記第１遅延情報が示す遅延量の絶対値が予め定めた範囲外となっている場合に行う
ことを特徴とする付記９記載の窓制御方法。
【００６０】
（付記１１）
前記前記窓制御手段は、前記位置情報取得手段が取得したピーク位置情報、前記フーリエ変換回路に接続された伝送路等化部からのＭＥＲ（Modulation Error Rate）情報及び前記伝送路等化部に接続された訂正部からのＢＥＲ（Bit Error Rate）情報を基に、前記第１の遅延情報が適切か否か判定を行い、前記第１の遅延情報が適切でないと判定した場合に、前記第２の遅延情報の算出を行う
ことを特徴とする付記９、または１０記載の窓制御方法。
【図面の簡単な説明】
【００６１】
【図１】ガードインターバルによる効果を説明する図である。
【図２】先行波がある場合に行われるＦＦＴ窓制御を説明する図である。
【図３】従来のＯＦＤＭ受信機の構成を説明する図である。
【図４】ＯＦＤＭ信号のフォーマットを説明する図である。
【図５】本実施の形態によるＯＦＤＭ受信機の構成を説明する図である。
【図６】ＦＦＴ窓制御量判定部６０の機能構成を説明する図である。
【図７】ピーク位置情報を説明する図である。
【図８】ピーク位置情報が表す形状の妨害波による変化を説明する図である。
【図９】ＳＰキャリアによる遅延量の検出で生じる誤認識を説明する図である。
【符号の説明】
【００６２】
５１    アンテナ
５２    チューナ
５３    Ａ／Ｄ変換器
５４    直交復調部
５５    ＦＦＴ部
５６    伝送路等化部
５７    誤り訂正部
５８    ＩＦＦＴ部
５９    遅延情報抽出部
６０    ＦＦＴ窓制御量判定部
６１    先行波制御部
６２    位置設定部
６３    ピーク位置制御部
６４    反転部
６５    最適位置判定部
【図１】
2007324905.tif 000003
【図２】
2007324905.tif 000004
【図３】
2007324905.tif 000005
【図４】
2007324905.tif 000006
【図５】
2007324905.tif 000007
【図６】
2007324905.tif 000008
【図７】
2007324905.tif 000009
【図８】
2007324905.tif 000010
【図９】
2007324905.tif 000011